(57)【要約】      （修正有）【課題】容器全体のデザイン性を損なうことなく、操作性が良く、軽い力で開閉可能な容器蓋部を提供する。【解決手段】天面部１１と、該天面部１１の周縁部より下方へ延設された周壁１２を備え、容器本体の上部開口部に冠着可能に形成された容器蓋部１であって、周壁１２の少なくとも上端辺側において、凸部１３と凹部１４が天面部１１の周方向に３箇所ずつ交互に配置されている。【選択図】図１
0003220424.tif 000002
【実用新案登録請求の範囲】
【請求項１】
天面部と、該天面部の周縁部より下方へ延設された周壁を備え、容器本体の上部開口部に冠着可能に形成された容器蓋部であって、周壁の少なくとも上端辺側において、凸部と凹部が天面部の周方向に３箇所ずつ交互に配置されている容器蓋部。
【請求項２】
前記周壁の下端辺が、平面視で正円に形成されていることを特徴とする請求項１に記載の容器蓋部。
【請求項３】
前記周壁の上端辺の凹凸から下端辺の正円にかけて、外形が漸次変化するように形成されている請求項２に記載の容器蓋部。
【請求項４】
前記周壁の一部を凹ませて前記凹部を形成し、それにより、相対的に突出する凸部を形成することを特徴とする請求項１ないし３のいずれか１項に記載の容器蓋部。
【考案の詳細な説明】
【技術分野】
【０００１】
本発明は、回転して開閉する化粧料容器等の蓋部に関する。
【背景技術】
【０００２】
従来、容器の上部開口部に冠着され、回転して開閉するタイプの蓋部は、一般的に円筒状に形成されている。
【０００３】
しかしながら、かかる従来の蓋部の場合、蓋部に指のかかりがないため、開閉時に指が滑ってしまい、女性や子供、お年寄りなど握力が弱い使用者の場合、うまく蓋部に力が伝わらずに開閉しにくいという問題があった。
【０００４】
そこで、かかる問題を解決すべく、特許文献１には、円筒形の側面部分に三角形状の凸部を２箇所設けたものが開示されている。また、特許文献２には、大型の曲線で形成された凸部を８箇所設けたものが開示されている。
【０００５】
しかしながら、特許文献１のものは、凸部が２箇所のみのため、２本の指により大きな負担がかかり、指のみでは開栓しにくいおそれがあった。また、３本の指で蓋部を保持しようとした場合、蓋部のどの部分を指で保持すればよいか迷う可能性もあった。さらに、特許文献２のものは、凸部が多すぎるため、ひとつひとつの凹凸が小さくなり、それらのいずれかひとつの凹凸に確実に指がかかりにくく、よって、開閉時に蓋部に力が伝わりにくい可能性があった。
【０００６】
ところで、化粧品容器などの場合、商品の性質上、容器自体にも高いデザイン性が求められる場合が多い。その点、特許文献１、２の蓋部はいずれもペットボトル用のものであり、容器本体とのデザインの統一性などが考慮されていないため、そのまま化粧料容器の蓋部として採用することには問題があった。
【先行技術文献】
【特許文献】
【０００７】
【特許文献１】実用新案登録第３０８１５０１７号
【特許文献２】特開２００６−３０６４９１
【考案の概要】
【考案が解決しようとする課題】
【０００８】
そこで本考案は、従来の容器蓋部のかかる欠点を克服し、容器全体のデザインの統一性を損なうことなく、操作性が良く、軽い力で開閉可能な容器蓋部の提供をその課題とするものである。
【課題を解決するための手段】
【０００９】
本考案は、上記課題を解決するものであり、天面部と、該天面部の周縁部より下方へ延設された周壁を備え、容器本体の上部開口部に冠着可能に形成された容器蓋部であって、周壁の少なくとも上端辺側において、凸部と凹部が天面部の周方向に３箇所ずつ交互に配置されている容器蓋部である。
【考案の効果】
【００１０】
本考案にかかる容器蓋部は、凸部と凹部が天面部の周方向に３箇所ずつ交互に配置するように形成されているため、３箇所の凹部に３本の指をかけて蓋部を回すと自ずと凸部に指がかかって少ない力でも簡単に開閉することができ、また、一回の手の動きで付与される蓋部の回転距離も長くなり、さらに、蓋部から容器本体にかけてデザイン的に違和感なく統一性のある印象を与えることができる。
【図面の簡単な説明】
【００１１】
【図１】（ａ）本考案の容器蓋部の平面図、（ｂ）同正面図、（ｃ）同側面図、（ｄ）同底面図、（ｅ）同Ａ−Ａ’断面図
【図２】本考案の容器蓋部を容器本体に取り付けた状態の斜視図。
【図３】本考案の容器蓋部を容器本体に取り付けた状態の斜視図。
【考案を実施するための形態】
【００１２】
以下、本考案の包装体の実施態様を、図面に基づいて具体的に説明する。なお、本考案はこれら実施態様に何ら制約されるものではない。
【００１３】
図に示すように、本考案の蓋部１は、容器本体２の上部開口部に冠着可能に形成されている。蓋部１は内壁１５の内周面に形成されたネジ部１６を有し、容器本体２の頸部の外周面に形成されたネジ部に対して該ネジ部１６を螺着させることで着脱自在に取り付けられる。
【００１４】
蓋部１は、天面部１１と、該天面部１１の周縁部より下方へ延設された周壁１２を備え、図に示すように、天面部１１は平面視において、凸部１３と凹部１４が天面部１１の周方向に３箇所ずつ交互に配置するように形成されている。すなわち、天面部１１は、平面視でその周縁部の三方が内側へ凹むとともに、該凹む部分の間が外側へ突出するように形成されている。
【００１５】
周壁１２の上端辺１２１は、平面部１１の周縁部を構成し、少なくともその上端辺１２１側において、凸部１３と凹部１４が天面部１１の周方向に同間隔で３箇所ずつ交互に配置するように形成されている。かかる周壁１２の凹凸は、上端辺１２１から周壁１２の任意の高さに至るまで形成されている。
【００１６】
一方、周壁１２の下端辺１２２は、本実施態様では平面視において正円に形成されている。すなわち、蓋部１の外形は、上端辺１２１における３箇所の凹凸から下端辺１２２の正円へと漸次変化するように形成されている。なお、本実施態様では下端辺１２２は正円に形成されているが、形状はこれに限定されず、上端辺１２２と同じく、凸部１３と凹部１４が３箇所ずつ交互に配置するように形成してもよい。すなわち、上端辺１２１から下端辺１２２にかけて、周壁１２の外形が変化せず連続するように形成しても良い。  
【００１７】
凹部１４は、上端辺１２１で最も蓋部１の内側方向へ凹んでおり、下端辺１２２に近づくにつれて徐々にその凹み具合が減少し、最終的には下端辺１２２付近で凹みがゼロとなる。より詳しくは、凹部１４は天面部１１の中心方向へ湾曲する弧状に形成され、かかる弧状の曲線は、上端辺１２１において最もその曲率が大きく、下端辺１２２に近づくにつれて徐々に曲率が小さくなり、周壁１２の任意の部分において曲率がゼロとなって凹みがなくなり、最終的には、下端辺１２２において正円の一部を構成する弧状となる。
【００１８】
本実施態様の凸部１３は、周壁１２から外側へ突出しているのではなく、凸部１３の両側に形成された凹部１４が周壁１２から内側へ凹んでいるため、相対的に突出しているように見える。凸部１３は、上端辺１２１では下端辺１２２の正円よりも大きい曲率の弧状に形成されているが、凹部１４が下端辺１２２に近づき徐々にその凹み具合が減少するにつれて凸部１３の曲線も徐々にその曲率が小さくなり、最終的には、下端辺１２２の正円の一部を構成する弧状となる。なお、本実施態様では、周壁１２の一部を凹ませて凹部１４を形成し、それにより、相対的に突出する凸部１３を形成するが、逆に、側壁１２の一部を外側へ突出させて凸部１３を形成し、これにより相対的に凹んだ凹部１４を形成しても良い。
【００１９】
個々の凸部１３、凹部１４は、ともに緩やかな弧状に形成されており、本実施態様では、上端辺１２１における凸部１３の弧を構成する曲率は、凹部１４の弧を構成する曲率よりも大きくなるように形成されている。なお、凸部１３、凹部１４の曲率については特に限定はされないが、上端辺１２１における凸部１３の曲率としてＲ１０〜３０の範囲、上端辺１２１の凹部１４の曲率としてＲ２０〜３５の範囲に形成することが好ましい。
【００２０】
図２は、本考案の蓋部１を容器本体２に取り付けた状態を示す。容器本体２は、略円筒状に形成されており、蓋部１はその下端辺１２２が正円のため、蓋部１から容器本体２にかけてデザイン的に何ら違和感なく、連続した統一性のある印象を与えることができる。なお、本実施態様の容器本体２は略円筒形であるが、容器本体２の形状はこれに限定されない。
【００２１】
次に、本考案の蓋部１の開閉方法について説明する。蓋部１の開閉方法は、一般的な蓋の開閉と変わるところはなく、指もしくは手のひらの一部を使い、蓋部１を保持し、ネジ部の螺着方向に回転させればよい。
【００２２】
指で保持する場合、化粧料容器などのある程度の直径を有する蓋部の場合は、一般的には親指、人差し指、中指の３本の指で上から保持することが多い。その点、本考案の蓋部１は、周壁１２に３箇所の凹部１４が形成されているため、その凹部１４にそれら３本の指をあてがって保持すればよいことを直感的に理解することができる。    
【００２３】
３箇所の凹部１４に３本の指をかけて蓋部１を回すと、自ずと凸部１３に指がかかる。そして、凸部１３と凹部１４は天面部１１の周方向に同間隔で形成されているため、３本の指から均等に力が蓋部１に伝わり、これにより、握力の弱い使用者でも簡単に蓋部１を開閉することができる。
【００２４】
また、３本の指で蓋部１を保持する方法の他に、横に寝かせた指（多くの場合、人差し指か中指）を蓋部１の周壁１２にあてがい、その状態で指をあてがった方の手を手前に引くことで、蓋部１に回転力を与えることができる。このとき、周壁１２の凸部１３と凹部１４により、指が滑ることを防ぐことができ、より確実に蓋部１に回転力を伝えることができる。これにより、一般的な円筒状の蓋部に比べ、一回の手の動きで蓋部１に付与される回転距離も長くなる。
【実施例】
【００２５】
以下、本考案の化粧料容器等の蓋部を、実施例を挙げて説明するが、本考案はこれら実施例に何ら限定されるものではない。以下の実施例では、本考案の蓋部を備えたクリーム化粧料容器（図２）および化粧水容器（図３）を用意し、それぞれ「開けやすさ」、「閉めやすさ」、「見た目のよさ」の３項目にわたって３０名のパネルにより評価した。
【００２６】
クリーム化粧料容器（図２）および化粧水容器（図３）の評価結果について以下に示す。評価方法は、前記３項目に関し、円筒の蓋部を備えたクリーム化粧料容器と比較して、
良い    ・・・  ２
やや良い・・・  １
同等    ・・・  ０
やや劣る・・・−１
劣る    ・・・−２
以上の５段階で評価付けを行った。
【００２７】
クリーム化粧料容器（図２）について、以下の結果（３０名の評価の平均値）が得られた。
開けやすさ  ・・・  １．０６７
閉めやすさ  ・・・  １
見た目のよさ  ・・・１．４６７
【００２８】
化粧水容器（図３）について、以下の結果（３０名の評価の平均値）が得られた。
開けやすさ  ・・・  １．１６７
閉めやすさ  ・・・  １．１３３
見た目のよさ  ・・・１．４３３
【００２９】
以上の評価結果から、本考案にかかる蓋部は、従来の円筒形状の蓋部と比較して「開けやすさ」、「閉めやすさ」、「見た目のよさ（デザイン性）」のいずれにおいても優位であることが分かった。
【産業上の利用可能性】
【００３０】
本考案の蓋部１は、化粧料容器の蓋として用いることができるほか、化粧料容器以外の収納容器の蓋としても広く利用することができる。
【符号の説明】
【００３１】
１  …  …  蓋部
２  …  …  容器本体
１１  …  …  天面部
１２  …  …  周壁
１３  …  …  凸部
１４  …  …  凹部
１５  …  …  内壁
１６  …  …  ネジ部
１２１  …  …  上端辺
１２２  …  …  下端辺
【図１】
0003220424.tif 000003
【図２】
0003220424.tif 000004
【図３】
0003220424.tif 000005